(57)【要約】【課題】外壁パネル体が居住空間に対向する窓部と、外壁パネル体が躯体構造物に対向するスパンドレル部とを設けた外壁を備えた建物において、スパンドレル部の外壁パネル体と躯体構造物との間の空間部を表示装置配設部とし、該表示装置配設部に表示装置を配設するにあたり、表示装置の表示交換作業やメンテナンス作業の作業性向上を図る。【解決手段】表示装置１３を、文字、図柄等の表示がなされた表示パネル３５と、該表示パネル３５が組込まれる枠本体部３７Ｘとを備えて構成するとともに、枠本体部３７Ｘを表示装置配設部１４に配設したままの状態で、表示パネル３５を居住空間側から枠本体部３７Ｘに組込み、組外し自在に構成した。【選択図】図７
2018188886.tif 000002
【特許請求の範囲】
【請求項１】
外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を配設するにあたり、該表示装置は、文字、図柄等の表示がなされた表示パネルと、該表示パネルが組込まれる枠本体部とを備えて構成されるとともに、該枠本体部を表示装置配設部に配設したままの状態で、表示パネルを居住空間側から枠本体部に組込み、組外し自在に構成したことを特徴とする建物外壁部における表示装置の配設構造。
【請求項２】
外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を配設するにあたり、該表示装置は、文字、図柄等の表示がなされた表示パネルと、照明器具と、これら表示パネルおよび照明器具が組込まれる枠本体部とを備えて構成されるとともに、該枠本体部を表示装置配設部に配設したままの状態で、照明器具を居住空間側から枠本体部に組込み、組外し自在に構成したことを特徴とする建物外壁部における表示装置の配設構造。
【請求項３】
請求項１において、表示装置配設部の上方に、表示装置配設部に配設された枠本体部に表示パネルを居住空間側から組込み、組外しするための開口を設けたことを特徴とする建物外壁部における表示装置の配設構造。
【請求項４】
請求項１において、表示装置配設部の下方に、表示装置配設部に配設された枠本体部に表示パネルを居住空間側から組込み、組外しするための開口を設けたことを特徴とする建物外壁部における表示装置の配設構造。
【請求項５】
請求項１において、表示装置配設部の左右少なくとも一方の側方に、表示装置配設部に配設された枠本体部に表示パネルを居住空間側から組込み、組外しするための開口を設けたことを特徴とする建物外壁部における表示装置の配設構造。
【請求項６】
請求項２において、表示装置配設部の上方に、表示装置配設部に配設された枠本体部に照明器具を居住空間側から組込み、組外しするための開口を設けたことを特徴とする建物外壁部における表示装置の配設構造。
【請求項７】
請求項２において、表示装置配設部の下方に、表示装置配設部に配設された枠本体部に照明器具を居住空間側から組込み、組外しするための開口を設けたことを特徴とする建物外壁部における表示装置の配設構造。
【請求項８】
請求項２において、表示装置配設部の左右少なくとも一方の側方に、表示装置配設部に配設された枠本体部に照明器具を居住空間側から組込み、組外しするための開口を設けたことを特徴とする建物外壁部における表示装置の配設構造。
【請求項９】
請求項３乃至５の何れか一項において、表示装置は、枠本体部とともに表示装置の枠体を構成する枠材を備え、該枠材を、枠本体部を表示装置配設部に配設したままの状態で開口から枠本体部に着脱自在に構成するとともに、該枠材を取外した状態の枠本体部に、開口から表示パネルを組込み、組外し自在に構成したことを特徴とする建物外壁部における表示装置の配設構造。
【請求項１０】
請求項６乃至８の何れか一項において、表示装置は、枠本体部とともに表示装置の枠体を構成する枠材を備え、該枠材を、枠本体部を表示装置配設部に配設したままの状態で開口から枠本体部に着脱自在に構成するとともに、該枠材を取外した状態の枠本体部に、開口から照明器具を組込み、組外し自在に構成したことを特徴とする建物外壁部における表示装置の配設構造。
【請求項１１】
請求項３乃至１０の何れか一項において、開口を開閉自在に覆蓋する蓋体を設けたことを特徴とする建物外壁部における表示装置の配設構造。
【請求項１２】
請求項３乃至１１の何れか一項において、表示装置を開口から居住空間側に出し入れ自在に構成したことを特徴とする建物外壁部における表示装置の配設構造。
【請求項１３】
請求項１乃至１１の何れか一項において、表示装置配設部の屋外側の外壁パネル体を屋外側から取外し可能に構成するとともに、該外壁パネル体を取外した状態で、表示装置を屋外側から表示装置配設部に出し入れ自在に構成したことを特徴とする表示装置の配設構造。
【発明の詳細な説明】
【技術分野】
【０００１】
本発明は、カーテンウォール等の建物外壁部における表示装置の配設構造に関するものである。
【背景技術】
【０００２】
一般的に、建物の外壁のなかには、例えばカーテンウォールのように、外壁パネル体が居住空間に対向する窓部と、外壁パネル体が床、天井等の躯体構造物に対向するスパンドレル部とを設けたものがある。このような外壁において、スパンドレル部は、床、天井等の躯体構造物が外部から見えないように目隠しすることが要求される。そこで、従来、スパンドレル部の外壁パネル体の屋内側に耐火パネル体を配設し、該耐火パネル体によって防火と目隠しとを図るようにしたものが知られている（例えば、特許文献１参照）。
一方、建物の外壁部を利用して、宣伝広告や装飾等の様々な表示を行いたいという要望がある。この場合、表示装置を窓部に設けると、窓部の採光や屋内側からの視認性が損なわれる惧れがある。そこで、スパンドレル部の屋外側に設けられた庇の上面に、表示装置を設置するようにした技術が知られている（例えば、特許文献２参照）。また、表示装置をスパンドレル部の屋内側に配設するようにした技術も知られている（例えば、特許文献３参照）。
【先行技術文献】
【特許文献】
【０００３】
【特許文献１】特許第５２３２５８８号公報
【特許文献２】特開２０１４−２３２２７１号公報
【特許文献３】米国特許第４４４７９９５号明細書
【発明の概要】
【発明が解決しようとする課題】
【０００４】
しかしながら、前記特許文献２のものは、表示装置がスパンドレル部の屋外側に配設されているため、表示装置の雨仕舞が必要であるうえ、屋外広告物とみなされて条例により規制を受ける場合がある。
一方、前記特許文献３のものは、表示装置がスパンドレル部の屋内側に配設されているから、窓部の採光や屋内側からの視認性を損なうことなく、しかも雨仕舞の必要もなく、屋外広告物としての条例の規制も受けない状態で、表示装置を配設できることになる。しかしながらこのものにおいて、表示装置に表示される宣伝や装飾等の表示の変更やメンテナンス等を行いたい場合、スパンドレル部は、外壁パネル体が床、天井等の躯体構造物に対向している部位であるから、スパンドレル部の屋内側に配設された表示装置にアクセスすることだけでも困難であり、さらに、表示装置は、宣伝や装飾等の表示がなされる表示部材だけでなく、該表示部材を支持する枠体や照明装置等を備えた重量の重いものも多く、このため、表示の変更作業やメンテナンス作業を行う場合の作業性に劣るという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を配設するにあたり、該表示装置は、文字、図柄等の表示がなされた表示パネルと、該表示パネルが組込まれる枠本体部とを備えて構成されるとともに、該枠本体部を表示装置配設部に配設したままの状態で、表示パネルを居住空間側から枠本体部に組込み、組外し自在に構成したことを特徴とする建物外壁部における表示装置の配設構造である。
請求項２の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示装置配設部とし、該表示装置配設部に、外壁の屋外側に向けて表示を行う表示装置を配設するにあたり、該表示装置は、文字、図柄等の表示がなされた表示パネルと、照明器具と、これら表示パネルおよび照明器具が組込まれる枠本体部とを備えて構成されるとともに、該枠本体部を表示装置配設部に配設したままの状態で、照明器具を居住空間側から枠本体部に組込み、組外し自在に構成したことを特徴とする建物外壁部における表示装置の配設構造である。
請求項３の発明は、請求項１において、表示装置配設部の上方に、表示装置配設部に配設された枠本体部に表示パネルを居住空間側から組込み、組外しするための開口を設けたことを特徴とする建物外壁部における表示装置の配設構造である。
請求項４の発明は、請求項１において、表示装置配設部の下方に、表示装置配設部に配設された枠本体部に表示パネルを居住空間側から組込み、組外しするための開口を設けたことを特徴とする建物外壁部における表示装置の配設構造である。
請求項５の発明は、請求項１において、表示装置配設部の左右少なくとも一方の側方に、表示装置配設部に配設された枠本体部に表示パネルを居住空間側から組込み、組外しするための開口を設けたことを特徴とする建物外壁部における表示装置の配設構造である。
請求項６の発明は、請求項２において、表示装置配設部の上方に、表示装置配設部に配設された枠本体部に照明器具を居住空間側から組込み、組外しするための開口を設けたことを特徴とする建物外壁部における表示装置の配設構造である。
請求項７の発明は、請求項２において、表示装置配設部の下方に、表示装置配設部に配設された枠本体部に照明器具を居住空間側から組込み、組外しするための開口を設けたことを特徴とする建物外壁部における表示装置の配設構造である。
請求項８の発明は、請求項２において、表示装置配設部の左右少なくとも一方の側方に、表示装置配設部に配設された枠本体部に照明器具を居住空間側から組込み、組外しするための開口を設けたことを特徴とする建物外壁部における表示装置の配設構造である。
請求項９の発明は、請求項３乃至５の何れか一項において、表示装置は、枠本体部とともに表示装置の枠体を構成する枠材を備え、該枠材を、枠本体部を表示装置配設部に配設したままの状態で開口から枠本体部に着脱自在に構成するとともに、該枠材を取外した状態の枠本体部に、開口から表示パネルを組込み、組外し自在に構成したことを特徴とする建物外壁部における表示装置の配設構造である。
請求項１０の発明は、請求項６乃至８の何れか一項において、表示装置は、枠本体部とともに表示装置の枠体を構成する枠材を備え、該枠材を、枠本体部を表示装置配設部に配設したままの状態で開口から枠本体部に着脱自在に構成するとともに、該枠材を取外した状態の枠本体部に、開口から照明器具を組込み、組外し自在に構成したことを特徴とする建物外壁部における表示装置の配設構造である。
請求項１１の発明は、請求項３乃至１０の何れか一項において、開口を開閉自在に覆蓋する蓋体を設けたことを特徴とする建物外壁部における表示装置の配設構造である。
請求項１２の発明は、請求項３乃至１１の何れか一項において、表示装置を開口から居住空間側に出し入れ自在に構成したことを特徴とする建物外壁部における表示装置の配設構造である。
請求項１３の発明は、請求項１乃至１１の何れか一項において、表示装置配設部の屋外側の外壁パネル体を屋外側から取外し可能に構成するとともに、該外壁パネル体を取外した状態で、表示装置を屋外側から表示装置配設部に出し入れ自在に構成したことを特徴とする表示装置の配設構造である。
【発明の効果】
【０００６】
請求項１の発明とすることにより、表示パネルの交換作業やメンテナンス作業を効率良く容易に行うことができる。
請求項２の発明とすることにより、照明装置の交換作業やメンテナンス作業を効率良く容易に行うことができる。
請求項３の発明とすることにより、表示パネルを、表示装置配設部の上方の居住空間側から表示装置配設部の枠本体部に組込み、組外しできる。
請求項４の発明とすることにより、表示パネルを、表示装置配設部の下方の居住空間側から表示装置配設部の枠本体部に組込み、組外しできる。
請求項５の発明とすることにより、表示パネルを、表示装置配設部の左右少なくとも一方の側方の居住空間側から表示装置配設部の枠本体部に組込み、組外しできる。
請求項６の発明とすることにより、照明装置を、表示装置配設部の上方の居住空間側から表示装置配設部の枠本体部に組込み、組外しできる。
請求項７の発明とすることにより、照明装置を、表示装置配設部の下方の居住空間側から表示装置配設部の枠本体部に組込み、組外しできる。
請求項８の発明とすることにより、照明装置を、表示装置配設部の左右少なくとも一方の側方の居住空間側から表示装置配設部の枠本体部に組込み、組外しできる。
請求項９の発明とすることにより、表示装置が表示装置配設部に配設されている状態では、枠本体部と枠材とから構成される枠体によって表示パネルを確実に支持できる一方、表示パネルを枠本体部に組込み、組外しする場合には、枠材が表示パネルの組込み、組外しの妨げとなってしまう不具合を回避できる。
請求項１０の発明とすることにより、表示装置が表示装置配設部に配設されている状態では、枠本体部と枠材とから構成される枠体によって照明装置を確実に支持できる一方、照明装置を枠本体部に組込み、組外しする場合には、枠材が照明装置の組込み、組外しの妨げとなってしまう不具合を回避できる。
請求項１１の発明とすることにより、蓋体によって表示装置配設部を居住空間側から目隠しできる。
請求項１２の発明とすることにより、表示装置を開口から居住空間側に出し入れできることになって、表示装置全体の交換やメンテナンスを行う場合の作業性にも優れる。
請求項１３の発明とすることにより、表示装置を屋外側から表示装置配設部に出し入れできることになって、表示装置全体の交換やメンテナンスを行う場合の作業性にも優れる。
【図面の簡単な説明】
【０００７】
【図１】第一の実施の形態におけるカーテンウォールの概略正面図である。
【図２】図１のＸ−Ｘ断面図である。
【図３】第一の実施の形態におけるスパンドレル部の縦断面図である。
【図４】第一の実施の形態におけるスパンドレル部の要部水平断面図である。
【図５】（Ａ）は第一の実施の形態におけるスパンドレル部の下部の詳細縦断面図、（Ｂ）は（Ａ）のＸ−Ｘ端面図である。
【図６】第一の実施の形態における表示装置の出し入れの手順を説明する図である。
【図７】第一の実施の形態における表示パネルのみの出し入れの手順を説明する図である。
【図８】第一の実施の形態における表示装置を示す図であって、（Ａ）は正面図、（Ｂ）は（Ａ）のＸ−Ｘ端面図、（Ｃ）は（Ａ）のＹ−Ｙ端面図である。
【図９】第二〜第四の実施の形態におけるカーテンウォールの概略正面図である。
【図１０】第二の実施の形態におけるスパンドレル部および窓部の縦断面図である。
【図１１】第二の実施の形態におけるスパンドレル部の拡大縦断面図である。
【図１２】図１１のＸ−Ｘ断面図である。
【図１３】（Ａ）は第二の実施の形態におけるスパンドレル部の上部の詳細縦断面図、（Ｂ）は（Ａ）のＸ−Ｘ断面図である。
【図１４】（Ａ）は第二の実施の形態におけるスパンドレル部の下部の詳細縦断面図、（Ｂ）は（Ａ）のＸ−Ｘ断面図である。
【図１５】第二の実施の形態における表示パネル、表示装置の出し入れの手順を説明する図である。
【図１６】第二の実施の形態における表示装置を示す図であって、（Ａ）は正面図、（Ｂ）は（Ａ）のＸ−Ｘ端面図、（Ｃ）は（Ａ）のＹ−Ｙ端面図である。
【図１７】第三の実施の形態におけるスパンドレル部の上部の縦断面図である。
【図１８】第四の実施の形態におけるスパンドレル部および窓部の縦断面図である。
【図１９】第四の実施の形態におけるスパンドレル部の拡大縦断面図である。
【図２０】図１９のＸ−Ｘ断面図である。
【図２１】（Ａ）は第四の実施の形態におけるスパンドレル部の下部の詳細縦断面図、（Ｂ）は（Ａ）のＸ−Ｘ断面図である。
【図２２】（Ａ）は第四の実施の形態におけるスパンドレル部の上部の詳細縦断面図、（Ｂ）は（Ａ）のＸ−Ｘ断面図である。
【図２３】第四の実施の形態における表示パネルの出し入れの手順を説明する図である。
【図２４】第四の実施の形態における表示装置を示す図であって、（Ａ）は正面図、（Ｂ）は（Ａ）のＸ−Ｘ端面図、（Ｃ）は（Ａ）のＹ−Ｙ端面図である。
【図２５】第四の実施の形態における表示装置の出し入れの手順を説明する図である。
【発明を実施するための形態】
【０００８】
以下、本発明の実施の形態について、図面に基づいて説明する。
まず、本発明の第一の実施の形態について、図１〜図８に基づいて説明すると、１は建物の外壁に用いられるカーテンウォールであって、該カーテンウォール１は、方立（縦材、マリオン）２と無目（横材）３とからなる枠材の開口部に外壁パネル体４を取付けて形成されている。該外壁パネル体４は透明または透光性を有する材質から形成されており、本実施の形態では、透明なガラス材が採用されている。
【０００９】
前記カーテンウォール１には、外壁パネル体４が居住空間に対向する窓部１Ａと、外壁パネル体４が躯体構造物５（床５ａ、天井５ｂ、スラブ（最上階において天井５ｂの上側に設けられるスラブ、最下階において床５ａの下側に設けられるスラブ、中間階において床５ａと下階の天井５ｂとの間に設けられるスラブ等）５ｃ、腰壁５ｄ、柱（図示せず）等）に対向するスパンドレル部１Ｂとが設けられているが、本実施の形態においてスパンドレル部１Ｂは、上下階の窓部１Ａの層間部および最上階の窓部１Ａの上側に設けられている。また、図１に示す斜線部分は複数階（本実施の形態では１階から２階）に亘る吹き抜け部であって、該吹き抜け部は外壁全面が、外壁パネル体４が居住空間（吹き抜け空間）に対向する窓部１Ａになっている。而して、該吹き抜け部の左右側方において層間部（本実施の形態では１階と２階の間）に設けられるスパンドレル部１ＢＸは、左右側方の少なくとも一方が吹き抜け部の窓部１Ａの左右側方に位置する状態になっている。そして、該左右側方の少なくとも一方が窓部１Ａの左右側方に位置しているスパンドレル部１ＢＸの屋内側に、後述する表示装置１３が配設される構成になっている。尚、第一の実施の形態において表示装置１３が配設されるスパンドレル部１ＢＸは、左右側方の少なくとも一方が窓部１Ａの左右側方に位置しているスパンドレル部１ＢＸであり、以下の第一の実施の形態の説明においては、左右側方の少なくとも一方が窓部１Ａの左右側方に位置しているスパンドレル部１ＢＸを単にスパンドレル部１ＢＸと称する。また、本実施の形態（第一の実施の形態）および後述する第二〜第四の実施の形態を説明するにあたり、外壁パネル体４の面方向に沿うと共に上下方向と直交する方向を、左右方向として説明する。
【００１０】
前記方立２は、該方立２の屋内側半部を構成し、水平断面が矩形中空状の方立本体部２Ｘと、該方立本体部２Ｘに一体形成され、方立２の屋外側半部を構成する外壁支持部２Ｙとから構成されている。そして方立２は、方立本体部２Ｘが図示しない固定部材を介してスラブ５ｃ等の躯体構造物５に固定されることで、躯体側に取付け支持されるように構成されている。
【００１１】
前記方立２の外壁支持部２Ｙには、無目３の左右外端部が取付けられると共に、上下の無目３間に位置する状態で、左右の方立アタッチメント６が取付けられている。そして、該左右の方立アタッチメント６の屋外側面部６ａと、外壁支持部２Ｙの屋外側端部に形成された見付け辺２Ｙａとの間に、外壁パネル体４の左右縦辺部が嵌合されるパネル嵌合溝２ｂが形成されており、該パネル嵌合溝２ｂに、ビート１０やシーリング材１１を介して外壁パネル体４の左右縦辺部が嵌合支持されている。
尚、本実施の形態では、便宜上、スパンドレル部１ＢＸに配置される方立２のうち、窓部１Ａの左右何れかの側方に位置していて該窓部１Ａとスパンドレル部１ＢＸとを区画する方立２を窓部側方立２Ａと称し、また、該窓部側方立２Ａ以外の他の方立２や、窓部側方立２Ａと他の方立２とを区別する必要がない場合には単に方立２と称して説明するが、本実施の形態では、図４、図６、図７に示すようにスパンドレル部１ＢＸの右側部に窓部側方立２が配置されている場合、つまり窓部１Ａがスパンドレル部１ＢＸの右側方に位置している場合を例にとって説明する。因みに、窓部側方立２Ａと他の方立２とは同じ構造である。
【００１２】
また、前記無目３は、その左右外端部が前記方立２の外壁支持部２Ｙに取付支持される状態で、左右に隣接する方立２間に支架されると共に、外壁パネル体４の上下辺部が嵌合されるパネル嵌合溝３ａを有しており、該無目３のパネル嵌合溝３ａに、外壁パネル体４の上下辺部がビート１０やシーリング材１１を介して嵌合支持されるようになっている。
尚、本実施の形態では、便宜上、スパンドレル部１ＢＸに配置される無目３のうち、スパンドレル部１ＢＸと該スパンドレル部１ＢＸの上階の窓部１Ａとを区画し、スパンドレル部１ＢＸの外壁パネル体４の上辺部を支持すると共に上階の窓部１Ａの外壁パネル体４の下辺部を支持する無目３を第一無目３Ａと称し、また、スパンドレル部１ＢＸと該スパンドレル部１ＢＸの下階の窓部１Ａとを区画し、スパンドレル部１ＢＸの外壁パネル体４の下辺部を支持すると共に下階の窓部１Ａの外壁パネル体４の上辺部を支持する無目３を第二無目３Ｂと称し、また、第一無目３Ａと第二無目３Ｂとを区別する必要がない場合には単に無目３と称して説明する。
また、本実施の形態では、前記第一、第二無目３Ａ、３Ｂは、窓部１Ａまたはスパンドレル部１ＢＸの外壁パネル体４の上辺部を支持する上辺部用パネル嵌合溝３ａが形成された型材と、スパンドレル部１ＢＸまたは窓部１Ａの外壁パネル体４の下辺部を支持する下辺部用パネル体嵌合溝３ａが形成された型材とが分割されており、これら型材同士をビス等により固定して第一、第二無目３Ａ、３Ｂが形成されているが、このように分割されたものではなく、上辺部用バネル嵌合溝と下辺部用パネル嵌合溝との上下の嵌合溝が形成された一つの型材で、第一、第二無目３Ａ、３Ｂを形成することもできる。
【００１３】
前記第一無目３Ａの屋内側には、第一無目アダプター７がネジ７ａを介して固定されている。該第一無目アダプター７は、第一無目３Ａの屋内側面部３Ａｂにネジ７ａ止めされる矩形中空状のアダプター本体部７ｂと、該アダプター本体部７ｂの屋内側下端部から屋内方向に水平状に延びる水平面部７ｃと、該水平面部７ｃの下面側に設けられ、下側が開口した冂形状の上側ガイドレール７ｄと、水平面部７ｃの屋内側端部から鉛直状に垂下される耐火パネル体取付部７ｅとを備えて形成されている。
【００１４】
また、前記第二無目３Ｂの屋内側には、第二無目アダプター８がネジ８ａを介して固定されているが、該第二無目アダプター８は、第一無目アダプター７と上下逆形状のものであって、第二無目３Ｂの屋内側面部３Ｂｂにネジ８ａ止めされる矩形中空状のアダプター本体部８ｂと、該アダプター本体部８ｂの屋内側上端部から屋内方向に水平状に延びる水平面部８ｃと、該水平面部８ｃの上面側に設けられ、上側が開口した凵形状の下側ガイドレール８ｄと、水平面部８ｃの屋内側端部から鉛直状に立設される耐火パネル体取付部８ｅとを備えて形成されている。
【００１５】
ここで、前記第一、第二無目アダプター７、８のアダプター本体部７ｂ、８ｂは、左右に隣接する方立２の方立本体部２Ｘ間に丁度収まるように、左右方向の長さおよび屋外方向の長さが設定されている。また、水平面部７ｃ、８ｃおよび耐火パネル体取付部７ｅ、８ｅは、方立本体部２Ｘよりも屋内側に位置するとともに、該水平面部７ｃ、８ｃおよび耐火パネル体取付部７ｅ、８ｅの左右外方側端部には、アダプター本体部７ｂ、８ｂの左右外方側端よりも左右外方側に突出する延設水平面部７ｆ、８ｆ（７ｆは図示せず）、延設耐火パネル体取付部７ｇ、８ｇ（７ｇは図示せず）が水平面部７ｃ、８ｃ、耐火パネル体取付部７ｅ、８ｅから延設される状態で一体形成されている。また、上側、下側のガイドレール７ｄ、８ｄは、前述したように水平面部７ｃ、８ｃに設けられていて方立本体部２Ｘよりも屋内側に位置しているが、これら上側、下側のガイドレール７ｄ、８ｄには、後述する表示装置１３の上下部が左右方向スライド移動自在に嵌合される構成になっている。
尚、本実施の形態において、前記第一、第二無目アダプター７、８は、アダプター本体部７ｂ、８ｂの一半部を形成する型材と、アダプター本体部７ｂ、８ｂの他半部を形成する型材と、水平面部７ｃ、８ｃおよび延設水平面部７ｆ、８ｆと耐火パネル体取付部７ｅ、８ｅおよび延設耐火パネル体取付部７ｇ、８ｇとを形成する型材とに分割されており、これらの型材をビス（図示せず）等に一体的に組付けて形成されている。
【００１６】
一方、９はけい酸カルシウム板等の耐火材から構成される耐火パネル体であって、火災時に上下階への延焼を防止するために設けられるものであるが、該耐火パネル体９は、その上下部が、前記第一、第二無目アダプター７、８の耐火パネル体取付部７ｅ、８ｅにネジ９ａを介して取付けられることによって、スパンドレル部１ＢＸの外壁パネル体４と躯体構造物５との間に、外壁パネル体４と間隙を存する状態で配設されている。そして、該耐火パネル体９とスパンドレル部１ＢＸの外壁パネル体４との間の空間部は、後述する表示装置１３が配設される表示装置配設部１４に構成されている。この場合に表示装置１３は、その上下部が前記第一、第二無目アダプター７、８に設けられた上下のガイドレール７ｄ、８ｄに嵌合支持された安定状態で、表示装置配設部１４に配設されるようになっている。
【００１７】
前記耐火パネル体９の上部には、屋内外方向に貫通する配線用貫通孔９ｂが形成されている。そして、該配線用貫通孔９ｂを通して、耐火パネル体９の屋内側に配置された電源盤１５から延びるハーネス１６が表示装置配設部１４に引き出されるようになっているとともに、該表示装置配設部１４に引き出されたハーネス１６の先端部には、給電側コネクタ１７が接続されている。
尚、前記電源盤１５には、電源スイッチやコントローラ等が設けられるが、該電源盤１５へのアクセスは、腰壁５ｄに開閉自在に設けられた点検口（図示せず）から行えるようになっている。
【００１８】
また、１８、１９は前記表示装置配設部１４の上下を塞ぐ上側、下側の耐火ブロックであって、これら耐火ブロック１８、１９は、前記耐火パネル体９と同様、火災時における延焼を防止するべく耐火材から構成されるものであるが、上側耐火ブロック１８は、前記第一無目アダプター７の水平面部７ｃの上側に配設されており、また、下側耐火ブロック１９は、第二無目アダプター８の水平面部８ｃの下側に配設されている。
【００１９】
さらに、前記第二無目アダプター８の下側には、左右一対の支持ブラケット２０が配置されている。該左右の支持ブラケット２０は、図５に示す如く、第二無目アダプター８のアダプター本体部８ｂの下側から下側耐火ブロック１９および耐火パネル体９の下側にまで至る支持片２０ａと、該支持片２０ａから垂下される取付片２０ｂとからなる逆Ｌ字形状のものであって、支持片２０ａの上面が第二無目アダプター８のアダプター本体部８ｂの下面に下側から当接する状態で、取付片２０ｂが方立本体部２Ｘの左右側面部２Ｘｂにネジ２０ｃを介して取付けられている。そして、該支持ブラケット２０は、支持片２０ａが第二無目アダプター８のアダプター本体部８ｂに下側から当接することによって、第二無目アダプター８にかかる表示装置１３の重量負荷を第二無目アダプター８とともに負担するとともに、下側耐火ブロック１９および耐火パネル体９を下側から支持するようになっている。
【００２０】
尚、２１は第一無目３Ａの屋内側に第一アングル２２を介して取付けられる膳板であって、該膳板２１は、前記第一無目アダプター７、上側耐火ブロック１８、耐火パネル体９の上方に位置する状態で、第一無目３Ａから腰壁５ｄの上部に至るように設けられている。また、２３は第二無目３Ｂの屋内側に第二アングル２４を介して取付けられる天井側額縁であって、該天井側額縁２３は、第二無目アダプター８、下側耐火ブロック１９、耐火パネル体９および前述した支持ブラケット２０の下方に位置する状態で、第二無目３Ｂから天井５ｂに至るように設けられている。
【００２１】
一方、前記窓部側方立２Ａの屋内側には、窓部１Ａの屋内側の居住空間（吹き抜け空間）とスパンドレル部１ＢＸの屋内側空間とを区画するべく、方立本体部２Ｘの屋内側面部２Ｘａから屋内側に延びる仕切壁２５が立設されているが、該仕切壁２５には、前記表示装置配設部１４の左右側方（本実施の形態では右側方）に位置する部分に開口２６が開設されている。そして、該開口２６は、表示装置配設部１４に配設された表示装置１３および該表示装置１３を構成する後述の表示パネル３５、照明装置３８を窓部１Ａの屋内側の居住空間側から出し入れするための出入り口になっているとともに、後述する点検カバー（本発明の蓋体に相当する）２７によって開閉自在に覆蓋されるようになっている。
【００２２】
さらに、２８は表示装置配設部１４の左右側方のうち前記開口２６側の側方、つまり本実施の形態では表示装置配設部１４の右側方を塞ぐ側方耐火ブロックであって、該側方耐火ブロック２８は、前記耐火パネル体９や上側、下側の耐火ブロック１８、１９と同様、火災時における延焼を防止するべく耐火材から構成されるものであるが、このものは、前記第二無目アダプター８の延設水平面部８ｆの上面に載置される状態で、後述する第一、第二取付ブラケット２９、３０を介して表示装置配設部１４の右側に配設されている。
【００２３】
前記第一取付ブラケット２９は、側方耐火ブロック２８が右側方（開口２６側方）から嵌合される凹部２９ａと、該凹部２９ａの開口側縁から屋外側、屋内側に張り出す屋外側、屋内側のフランジ部２９ｂ、２９ｃとが一体形成されたハット形状のものであり、また、第二取付ブラケット３０は、第一取付ブラケット２９に嵌合された側方耐火ブロック２８に右側方から当接する当接面部３０ａと、第一取付ブラケット２９の屋外側、屋内側のフランジ部２９ｂ、２９ｃに右側方からそれぞれ当接する屋外側、屋内側フランジ部３０ｂ、３０ｃとが一体形成されたものである。そして、第一取付ブラケット２９の屋外側、屋内側フランジ部２９ｂ、２９ｃを後述する方立アダプター３１の右側面部３１ｃ、固定ブラケット３２の第二脚片３２ｂにそれぞれ当接させた状態で、第一取付ブラケット２９の凹部２９ａに側方耐火ブロック２８を嵌合し、さらに該側方耐火ブロック２８が嵌合された状態の第一取付ブラケット２９の屋外側、屋内側フランジ部２９ｂ、２９ｃに、第二取付ブラケット３０の屋外側、屋内側フランジ部３０ｂ、３０ｃを当接させた状態で、両取付ブラケット２９、３０の屋外側フランジ部２９ｂおよび３０ｂを方立アダプター３１の右側面部３１ｃに、屋内側フランジ部２９ｃおよび３０ｃを固定ブラケット３２の第二脚片３２ｂにそれぞれネジ３３止めすることによって、側方耐火ブロック２８を、第一、第二取付ブラケット２９、３０を介して表示装置配設部１４の右側に着脱自在に配設することができるようになっている。さらに、これら第一、第二取付ブラケット２９、３０および側方耐火ブロック２８は、屋内外方向および上下方向の寸法が前記開口２６を出入りできる寸法に設定されているとともに、第一、第二取付ブラケット２９、３０を取付けるためのネジ３３は右側方から螺入されるようになっており、而して、第一、第二取付ブラケット２９、３０および側方耐火ブロック２８の着脱作業を、前記開口２６を通してスパンドレル部１ＢＸの右側方の窓部１Ａの居住空間側から行うことができるようになっている。
尚、図示しないが、表示装置配設部１４の左側においても、前述した表示装置配設部１４の右側に配設される側方耐火ブロック２８と同様の側方耐火ブロックを、必要に応じて配設することができる。
【００２４】
ここで、前記方立アダプター３１は、窓部側方立２Ａの方立本体部２Ｘの屋内側面部２Ｘａにネジ３１ａを介して固定される中空矩形状のものであって、第一無目アダプター７の延設水平面部７ｆと第二無目アダプター８の延設水平面部８ｆとの間に収まるように設けられている。また、固定ブラケット３２は、第一脚片３２ａと第二脚片３２ｂとからなるＬ字形状のものであって、第一脚片３２ａは、その上下部が第一、第二無目アダプター７、８の延設耐火パネル体取付部７ｇ、８ｇにそれぞれネジ３２ｃ止めされることで、両延設耐火パネル体取付部７ｇ、８ｇ間に支架されるように設けられている。さらに、該第一脚片３２ａの右端から屋内側に向けて第二脚片３２ｂが折曲形成されているが、該第二脚片３２ｂは、耐火パネル体取付部７ｅ、８ｅに取付けられた耐火パネル体９の右端面９ｃから少し離間する状態で該右端面９ｃに対向している。そして、前記方立アダプター３１の屋内側面部３１ｂと固定ブラケット３２の第一脚片３２ａとの間の間隔は、表示装置１３の屋内外方向の幅寸法よりも少し幅広になっていて、該間隙を通って開口２６から居住空間側に表示装置１３を出し入れできるようになっているとともに、前述した側方耐火ブロック２８の配設スペースとなっており、さらに、方立アダプター３１の右側面部３１ｃおよび固定ブラケット３２の第二脚片３２ｂには、前述したように、第一、第二取付ブラケット２９、３０の屋外側、屋内側フランジ部２９ｂ、３０ｂ、２９ｃ、３０ｃがネジ３３止めされる構成になっている。
【００２５】
さらに、前記開口２６は、点検カバー２７によって開閉自在に覆蓋されているが、該点検カバー２７は、前記方立アダプター３１の右側面部３１ｃおよび固定ブラケット３２の第二脚片３２ｂに、該方立アダプター３１の右側面部３１ｃおよび固定ブラケット３２の第二脚片３２ｂに取付けられた第一、第二取付ブラケット２９、３０の屋外側、屋内側フランジ部２９ｂ、３０ｂ、２９ｃ、３０ｃを間に介装する状態で、ネジ３４を介して着脱自在に取付けられている。この場合に、点検カバー２７用のネジ３４は右側方から螺入されるように設定されており、而して、点検カバー２７の着脱作業を、スパンドレル部１ＢＸの右側方の窓部１Ａの居住空間側から行うことができるようになっている。
【００２６】
一方、前記表示装置１３は、本実施の形態では、広告や装飾用の文字、図柄等の表示がなされた表示パネル（サイン）３５と、該表示パネル３５の屋内側に積層状に配される導光パネル３６と、これら両パネル３５、３６の四周を支持する枠体３７と、光源（本実施の形態ではＬＥＤ）３８等を備えて構成されているが、上記枠体３７は、上枠３７ａと下枠３７ｂと左縦枠３７ｃとから形成される右側が開口した匚形状の枠本体部３７Ｘと、該枠本体部３７Ｘの開口側、つまり右側に着脱自在に組付けられる右縦枠（本発明の枠材に相当する）３７Ｙとから構成されている。この場合に、上枠３７ａと下枠３７ｂとは上下対称形状、また、左縦枠３７ｃと右縦枠３７Ｙとは左右対称形状のものであるとともに、これら上枠３７ａ、下枠３７ｂ、左縦枠３７ｃ、右縦枠３７Ｙに形成されたパネル嵌合部３７ｇ、３７ｈに、表示パネル３５、導光パネル３６の外周縁部がそれぞれ嵌合支持されるようになっている。また、ＬＥＤ（光源）３８は、枠本体部３７Ｘを構成する上枠３７ａおよび下枠３７ｂに形成の挿入溝３７ｄに挿入組込みされるＬＥＤ支持バー３９に、左右方向複数配置されている。そして、ＬＥＤ３８から発せられた光が上下両側から導光パネル３６に入光されて該導光パネル３６が発光し、これがバックライトとなって表示パネル３５を照射することによって、表示パネル３５の文字や図柄等が視認されるようになっているが、表示装置１３は、前述したように、スパンドレル部１ＢＸの外壁パネル体４と耐火パネル体９との間に形成される表示装置配設部１４に配設されており、これにより、スパンドレル部１ＢＸの透明な外壁パネル体４を通して屋外側から表示パネル３５の表示を視認できるようになっている。さらに、前記ＬＥＤ３８に接続されるリード線は、右側方に延びて受電側コネクタ４０に接続されており、該受電側コネクタ４０と前記給電側コネクタ１７とを接続することによってＬＥＤ３８への給電がなされるが、これら受電側コネクタ４０、給電側コネクタ１７の断続は、前記開口２６から行えるようになっている。尚、前記ＬＥＤ（光源）３８および該ＬＥＤ３８が配置されるＬＥＤ支持バー３９は、本発明の照明器具を構成するが、以下の説明において、ＬＥＤ支持バー３９に配置された状態のＬＥＤ３８を、照明装置３８とも称する。
【００２７】
ここで、前記表示装置１３は、右縦枠３７Ｙを、枠本体部３７Ｘや、該枠本体部３７Ｘに組み込まれる表示パネル３５、導光パネル３６および照明装置３８はそのままの状態で、表示装置１３の右側方から螺入されるネジ３７ｅを介して枠本体部３７Ｘに右側から取付け、取外しできるようになっている。さらに、該右縦枠３７Ｙが取外された状態の枠本体部３７Ｘのパネル嵌合溝３７ｇに、表示パネル３５を、匚形状の枠本体部３７Ｘの開口側、つまり右側から挿入、抜き取りすることで組込み、組外しできるように構成されている。これにより、枠本体部３７Ｘを表示装置配設部１４に配設したままの状態で、該表示装置配設部１４の右側方に設けられた開口２６から、枠本体部３７Ｘへの右縦枠３７Ｙの着脱と、枠本体部３７Ｘへの表示パネル３５の組込み、組外しとを行えるようになっており、而して、枠本体部３７Ｘを表示装置配設部１４に配設したままの状態で表示パネル３５を表示装置配設部１４から出し入れすることができて、表示パネル３５のみの交換作業やメンテナンス作業を行う場合に、容易かつ効率良く行えるようになっている。さらに、照明装置３８（ＬＥＤ支持バー３９に配置されている状態のＬＥＤ３８）についても、右縦枠３７Ｙが取外された状態の枠本体部３７Ｘの上枠３７ａおよび下枠３７ｂの挿入溝３７ｄに、枠本体部３７Ｘの右側から組込み、組外しできるように構成されており、これにより、照明装置３８についても、枠本体部３７Ｘを表示装置配設部１４に配設したままの状態で、該表示装置配設部１４の右側方に設けられた開口２６から枠本体部３７Ｘに組込み、組外しを行えるようになっていて、照明装置３８のみの交換作業やメンテナンス作業も、容易かつ効率良く行えるようになっている。尚、本実施の形態では、導光パネル３６についても同様に、右縦枠３７Ｙが取外された状態の枠本体部３７Ｘに右側から組込み、組外しできるように構成されていて、導光パネル３６のみの交換やメンテナンスも容易に行えるようになっている。また、本実施の形態では、右縦枠３７Ｙが、本発明の開口から枠本体部に着脱自在な枠材に相当するが、本実施の形態とは左右逆に開口が表示装置配設部の左側方に設けられている場合（窓部がスパンドレル部の左側方に位置している場合）には、左縦枠が本発明の開口から着脱自在な枠材となる。さらに、本実施の形態の表示装置１３は、左縦枠３７ｃが開口から着脱自在な枠材となった場合にも対応できるように左右対称状に形成されていて、左縦枠３７ｃについても表示装置１３の左側方から螺入されるネジ３７ｆを介して着脱自在に構成されている。
【００２８】
そして、この様に構成された本実施のものにおいて、表示装置配設部１４に配設された表示装置１３をメンテナンス等のために取り出す場合には、まず、表示装置配設部１４が設けられたスパンドレル部１ＢＸの右側方の窓部１Ａの居住空間側から、点検カバー２７を取外して、表示装置配設部１４の右側方の開口２６を開く。さらに、該開口２６から、第二取付ブラケット３０、側方耐火ブロック２８、第一取付ブラケット２９を順次取り出す。これにより、表示装置配設部１４の右側方は開放された状態となるが、この状態で、表示装置１３のＬＥＤ３８に接続された受電側コネクタ４０を給電側コネクタ１７から外す。しかる後、表示装置１３を右方向にスライド移動させて、表示装置配設部１４から居住空間に取り出す。このときの表示装置１３のスライド移動は、表示装置１３の上下両側が第一、第二無目アダプター７、８に設けられた上下のガイドレール７ｄ、８ｄにガイドされることでスムーズに行うことができる。
【００２９】
一方、表示装置１３を表示装置配設部１４に配設する場合には、表示装置配設部１４が設けられたスパンドレル部１ＢＸの右側方の窓部１Ａの居住空間から、開口２６を通して表示装置配設部１４に表示装置１３を収納する。このとき、表示装置１３の上下部を上下のガイドレール７ｄ、８ｄに嵌合させることにより、表示装置１３の左方への移動がスムーズに行われるとともに、表示装置配設部１４に配設された表示装置１３が上下のガイドレール７ｄ、８ｄにより安定支持される。次いで、表示装置１３の受電側コネクタ４０を給電側コネクタ１７に接続する。さらに、第一取付ブラケット２９、側方耐火ブロック２８、第二取付ブラケット３０をネジ３３を介して取付け、しかる後、点検カバー２７をネジ３４を介して取付けて開口２６を塞ぐことによって、表示装置１３の表示装置配設部１４への配設作業が完了するようになっている。
【００３０】
さらにこのものでは、表示装置１３を構成する枠本体部３７Ｘを表示装置配設部１４に配設したままの状態で、表示パネル３５、照明装置３８を、それぞれ独自に表示装置配設部１４から出し入れすることができる。この場合には、まず、前述した表示装置１３を取り出す場合と同様の手順で、点検カバー２７、第二取付ブラケット３０、側方耐火ブロック２８、第一取付ブラケット２９を取外して、表示装置配設部１４の右側方を開放された状態にする。この状態で、表示装置配設部１４に配設されたままの表示装置１３から右縦枠３７Ｙを取外し、しかる後、該右縦枠３７Ｙが取り外された状態の枠本体部３７Ｘから表示パネル３５あるいは照明装置３８を取り出すことにより、表示パネル３５のみ、あるいは照明装置３８のみを表示装置配設部１４から取出すことができる。そして、新しくセットする表示パネル３５、照明装置３８を、前記右縦枠３７Ｙが取り外された状態の枠本体部３７Ｘに右側から組込んだ後、右縦枠３７Ｙを取付け、さらに前述した表示装置１３を収納する場合と同様の手順で、第一取付ブラケット２９、側方耐火ブロック２８、第二取付ブラケット３０、点検カバー２７を取付けることによって、表示パネル３５や照明装置３８のみの交換やメンテナンスを行うことができるようになっている。
【００３１】
叙述の如く構成された本発明の第一の実施の形態において、建物の外壁としてのカーテンウォール１には、外壁パネル体４が居住空間に対向する窓部１Ａと、外壁パネル体４が床５ａ、天井等５ｂの躯体構造物５に対向するスパンドレル部１ＢＸとが設けられているが、該スパンドレル部１ＢＸの外壁パネル体４と躯体構造部５との間の空間部（本実施の形態では、スパンドレル部１ＢＸの外壁パネル体４と躯体構造物５との間に耐火パネル体９が配されており、該耐火パネル体９と外壁パネル体４との間の空間部）は表示装置配設部１４となっており、該表示装置配設部１４には、カーテンウォール１の屋外側に向けて表示を行う表示装置１３が配設されることになる。而して、屋外側からの目隠しが必要であるスパンドレル部１ＢＸを利用して、窓部１Ａの採光や屋内側からの視認性が損なわれる惧れがなく、しかも、雨仕舞の必要もなく、また、屋外広告物としての条例の規制も受けない状態で、表示装置１３を配設できることになるが、該表示装置１３は、文字、図柄等の表示がなされた表示パネル３５と、該表示パネル３５が組込まれる枠本体部３７Ｘとを備えて構成されるとともに、表示パネル３５は、該枠本体部３７Ｘを表示装置配設部１４に配設したままの状態で、居住空間側から枠本体部３７Ｘに組込み、組外しできることになる。
【００３２】
この結果、表示パネル３５の表示の変更やメンテナンスを行う場合には、枠本体部３７Ｘを表示装置配設部１４に配設したままの状態で、表示パネル３５のみを表示装置配設部１４から居住空間側に取出すことができることになるが、表示パネル３５は、枠本体部３７Ｘを含む（本実施の形態では、導光パネル３６、照明装置３８、右縦枠３７Ｙも含む）表示装置１３全体の重量と比べると大幅に軽量であるから、該表示パネル３５のみの居住空間側への取出しは殆ど労力を必要とせず容易であり、而して、表示パネル３５の交換作業やメンテナンス作業を効率良く行えることになる。しかも、表示パネル３５は、表示される宣伝広告や装飾等の変更応じて短期間での表示交換が要求される場合も多いから、表示パネル３５の交換作業やメンテナンス作業を効率良く行えることは特に有用となる。
【００３３】
さらにこのものにおいて、表示装置１３は照明装置（本実施の形態ではＬＥＤ３８およびＬＥＤ支持バー３９）３８も備えているが、該照明装置３８についても、枠本体部３７Ｘを表示装置配設部１４に配設したままの状態で、居住空間側から枠本体部３７Ｘに組込み、組外しできることになる。この結果、照明装置３８の交換やメンテナンスを行う場合も、枠本体部３７Ｘを表示装置配設部１４に配設したままの状態で、照明装置３８のみを表示装置配設部１４から居住空間側に取出すことができ、而して、照明装置３８の交換作業やメンテナンス作業についても効率良く行えることになる。
【００３４】
さらに本実施の形態では、表示装置配設部１４の左右少なくとも一方の側方（本実施の形態では右側方）に、表示装置配設部１４に配設された枠本体部３７Ｘに表示パネル３５や照明装置３８を居住空間側から組込み、組外しするための開口２６が設けられている。これにより、表示パネル３５や照明装置３８を、表示装置配設部１４の左右少なくとも一方の側方の居住空間側から開口２６を通して枠本体部３７Ｘに組込み、組外しできるとともに、該開口２６は点検カバー（蓋体）２７によって開閉自在に覆蓋されているから、該点検カバー２７によって表示装置配設部１４を居住空間側から目隠しできることになる。
【００３５】
さらに、前記表示装置１３は、枠本体部３７Ｘとともに表示装置１３の枠体３７を構成する枠材（本実施の形態では右縦枠）３７Ｙを備えているが、該枠材３７Ｙは、枠本体部３７Ｘを表示装置配設部１３に配設したままの状態で開口２６から枠本体部３７Ｘに着脱自在であるとともに、該枠材３７Ｙを取外した状態の枠本体部３７Ｘに、開口２６から表示パネル３５や照明装置３８を組込み、組外し自在に構成されており、而して、表示装置１３が表示装置配設部１４に配設されている状態では、枠本体部３７Ｘと枠材３７Ｙとから構成される枠体３７によって表示パネル３５や照明装置３８を確実に支持できる一方、表示パネル３５や照明装置３８を表示装置配設部１４の枠本体部３７Ｘに組込み、組外しする場合には、枠材３７Ｙが表示パネル３５や照明装置３８の組込み、組外しの妨げとなってしまう不具合を回避できる。
【００３６】
さらに、本実施の形態では、表示パネル３５や照明装置３８だけでなく表示装置１３全体についても前記開口２６から居住空間側に出し入れ自在に構成されているから、表示装置１３全体の交換やメンテナンスを行う場合には、表示装置１３を開口２６を通して居住空間側に取り出すことができて、この場合の作業性にも優れる。
【００３７】
次いで、本発明の第二の実施の形態について、図９〜図１６に基づいて説明すると、４１は第二の実施の形態のカーテンフォールであって、該カーテンウォール４１は、第一の実施の形態と同様に、方立４２と無目４３とからなる枠材の開口部に外壁パネル体４４を取付けて構成されているとともに、外壁パネル体４４が居住空間に対向する窓部４１Ａと、外壁パネル体４４が躯体構造物５（床５ａ、天井５ｂ、スラブ５ｃ、腰壁５ｄ等）に対向するスパンドレル部４１Ｂとが設けられているが、第二の実施の形態においてスパンドレル部４１Ｂは、上下階の窓部４１Ａの層間部、最上階の窓部４１Ａの上側、および最下階の窓部４１Ａの下側に設けられている。尚、第二の実施の形態のカーテンウォール４１には、第一の実施の形態のような吹き抜け部は設けられておらず、スパンドレル部４１Ｂは窓部４１Ａの上側または下側に位置している。また、第二の実施の形態では、外壁パネル体４４として、スパンドレル部４１Ｂでは高透過ガラスが用いられており、窓部４１Ａでは複層ガラスが用いられている。
【００３８】
前記第二の実施の形態の方立４２は、第一の実施の形態の方立２と同様に、固定部材１４０（図１０に図示、また、後述する第四の実施の形態では図１８に図示、他の図面では図示せず）を介して躯体側に取付け支持される方立本体部４２Ａと、該方立本体部４２Ａの屋外側に一体形成される外壁支持部４２Ｂとから構成されている。外壁支持部４２Ｂには、無目４３の左右外端部が取付けられるとともに、上下の無目４３間に位置する状態で、左右の方立アタッチメント４６が取付けられている。そして、該方立アタッチメント４６の屋外側面部４６ａと、外壁支持部４２Ｂの屋外側端部に形成された見付け辺４２Ｂａとの間に、外壁パネル体４４の左右縦辺部が嵌合されるパネル嵌合溝４２Ｂｂが形成されており、該パネル嵌合溝４２Ｂｂには、ビート１０やシーリング材１１を介して外壁パネル体４４の左右縦辺部が嵌合支持されている。
【００３９】
また、第二の実施の形態の無目４３は、第一の実施の形態の無目３と同様に、その左右外端部が方立４２の外壁支持部４２Ｂに取付支持される状態で、左右に隣接する方立４２間に支架されるとともに、外壁パネル体４４の上下辺部が嵌合されるパネル嵌合溝４３ａを有しており、該無目４３のパネル嵌合溝４３ａには、ビート１０やシーリング材１１を介して外壁パネル体４４の上下辺部が嵌合支持されている。
尚、第二の実施の形態においても第一の実施の形態と同様に、便宜上、スパンドレル部４１Ｂに配置される無目４３のうち、スパンドレル部４１Ｂと該スパンドレル部４１Ｂの上階の窓部４１Ａとを区画し、スパンドレル部４１Ｂの外壁パネル体４４の上辺部を支持すると共に上階の窓部４１Ａの外壁パネル体４４の下辺部を支持する無目４３を第一無目４３Ａと称し、また、スパンドレル部４１Ｂと該スパンドレル部４１Ｂの下階の窓部４１Ａとを区画し、スパンドレル部４１Ｂの外壁パネル体４４の下辺部を支持すると共に下階の窓部４１Ａの外壁パネル体４４の上辺部を支持する無目４３を第二無目４３Ｂと称し、また、第一無目４３Ａと第二無目４３Ｂとを区別する必要がない場合には単に無目４３と称して説明する。
【００４０】
また、４７は第一の実施の形態の耐火パネル体９と同様に耐火材から構成される耐火バネル体であって、該耐火パネル体４７は、スパンドレル部４１Ｂの外壁パネル体４４と躯体構造物５との間に、外壁パネル体４４と間隔を存する状態で配設されている。
【００４１】
ここで、第二の実施の形成の耐火パネル体４７は、左右に隣接する方立４２の方立本体部４２Ａ間に位置する状態で配設される第一耐火パネル体４７Ａと、方立本体部４２Ａの屋内側において左右に隣接する第一耐火パネル４７Ａの左右外端部同士に亘るように設けられる第二耐火パネル体４７Ｂとから構成されている。そして、耐火パネル体４７は、第一耐火パネル体４７Ａの下端部が、後述する左右の耐火材支持ブラケット９０に載置支持され、また、第一耐火パネル体４７Ａの屋外側への移動が、方立本体部４２Ａの左右の側面部４２Ａａにネジ４９ａを介して固定される左右の耐火パネル位置決めブラケット４９によって規制され、さらに、第二耐火パネル体４７Ｂが方立本体部４２Ａの屋内側面部４２Ａｃにネジ５０を介して取付けられることによって、方立本体部４２Ａに取付け支持されるようになっている。そして、耐火パネル体４７と外壁パネル体４４との間で、且つ、左右に隣接する方立本体部４２Ａの間の空間部が、表示装置５１が配設される表示装置配設部５２に構成されている。
【００４２】
また、前記第一耐火パネル体４７Ａの上部には、屋内外方向に貫通する配線用貫通孔４７Ａａが形成されている。そして、該配線用貫通孔４７Ａａを通して、耐火パネル体４７の屋内側に配置された電源盤５３から延びるハーネス５５が表示装置配設部５２に引き出されるようになっているとともに、該表示装置配設部５２に引き出されたハーネス５５の先端部には、給電側コネクタ５６が接続されている。尚、電源盤５３へのアクセスは、腰壁５ｄに開閉自在に設けられた点検口５ｆから行えるようになっている。
【００４３】
さらに、第一無目４３Ａ（スパンドレル部４１Ｂと該スパンドレル部４１Ｂの上階の窓部４１Ａとを区画する無目）の屋内側には、腰壁５ｄの上部に連結される膳板８３が配設されているが、該膳板８３は、その屋外側端面８３ａの屋内外方向の位置が方立本体部４２Ａの屋内側面部４２Ａｃと略同位置に設定されていて、第一無目４３Ａと間隔を存する状態となっている。そして、該第一無目４３Ａと膳板８３との間の間隙は、前記表示装置配設部５２の上方に位置していて、該表示装置配設部５２に配設された表示装置５１および該表示装置５１を構成する後述の表示パネル６１、照明装置６４をスパンドレル部４１Ｂの上階の居住空間側から出し入れするための開口８１になっているとともに、該開口８１は、後述する点検カバー（本発明の蓋体に相当する）８２によって開閉自在に覆蓋されている。
尚、図中、８４は耐火パネル体４７の上側位置において左右方向に延びる膳板用アングルであって、該膳板用アングル８４は、方立本体部４２Ａの屋内側面部４２Ａｃにネジ８４ａを介して固定されている。そして、該膳板用アングル８４に、前記膳板８３の屋外側端部がネジ８３ｂを介して取付けられている。
【００４４】
さらに、前記表示装置配設部５２には、表示装置５１の下端部を支持するための左右の表示装置支持ブラケット８５と、表示装置５１の左右縁部を支持するとともに表示装置５１の上下移動をガイドするための左右のガイドレール６８とが設けられている。
【００４５】
前記左右のガイドレール６８は、上下方向に延びる水平断面コ字形状のものであって、方立本体部４２Ａの左右側面部４２Ａａにネジ６８ａを介して固定されている。また、左右の表示装置支持ブラケット８５は、支持片８５ａと該支持片８５ａから立設される取付片８５ｂとからなるＬ字形状のものであって、左右のガイドレール６８の下端部において、取付片８５ｂが左右のガイドレール６８の溝底面６８ｂを間に介装する状態で方立本体部４２Ａの左右側面部４２Ａａにネジ８５ｃを介して固定されている。そして、表示装置５１は、下端部の左右両側が左右の表示装置支持ブラケット８５の支持片８５ａに載置支持され、且つ、左右両端部が左右のガイドレール６８に嵌合支持されることによって、表示装置配設部５２に安定した状態で保持されるようになっている。
【００４６】
一方、第二の実施の形態の表示装置５１は、第一の実施の形態の表示装置１３と同様に、文字、図柄等の表示がなされた表示パネル６１と、導光パネル６２と、これら両パネル６１、６２の四周を支持する枠体６３と、光源（本実施の形態ではＬＥＤ）６４等を備えて構成されているが、第二の実施の形態の枠体６３は、左右の縦枠６３ａと下枠６３ｂとから形成される上側が開口した凵形状の枠本体部６３Ｘと、該枠本体部６３Ｘの開口側、つまり上側に着脱自在に組付けられる上枠（本発明の枠材に相当する）６３Ｙとから構成されている。この場合に、左右の縦枠６３ａは左右対称形状、また、上枠６３Ｙと下枠６３ｂとは上下対称形状のものであるとともに、これら左右の縦枠６３ａ、下枠６３ｂ、上枠６３Ｙに形成されたパネル嵌合部６３ｇ、６３ｈに、表示パネル６１、導光パネル６２の外周縁部がそれぞれ嵌合支持されるようになっている。また、ＬＥＤ（光源）６４は、枠本体部６３Ｘを構成する左右の縦枠６３ａに形成の挿入溝６３ｄに挿入組込みされるＬＥＤ支持バー６５に、上下方向複数配置されている。さらに、前記ＬＥＤ６４に接続されるリード線は、上方に延びて受電側コネクタ６６に接続されており、該受電側コネクタ６６と前記給電側コネクタ５６とを接続することによってＬＥＤ６４への給電がなされるが、これら受電側コネクタ６６、給電側コネクタ５６の断続は、前記開口８１から行えるようになっている。尚、第二の実施の形態においても、前記ＬＥＤ（光源）６４および該ＬＥＤ６４が配置されるＬＥＤ支持バー６５は、本発明の照明器具を構成するが、以下の説明において、ＬＥＤ支持バー６５に配置された状態のＬＥＤ６４を、照明装置６４とも称する。
【００４７】
そして、第二の実施の形態の表示装置５１は、上枠６３Ｙを、枠本体部６３Ｘや、該枠本体部６３Ｘに組み込まれる表示パネル６１、導光パネル６２および照明装置６４はそのままの状態で、表示装置５１の上方から螺入されるネジ６３ｅを介して枠本体部６３Ｘに上側から取付け、取外しできるようになっている。さらに、該上枠６３Ｙが取外された状態の枠本体部６３Ｘのバネル嵌合溝６３ｇに、表示パネル６１を、凵形状の枠本体部６３Ｘの開口側、つまり上側から挿入、抜き取りすることで組込み、組外しできるように構成されている。さらにまた、照明装置６４も、上枠６３Ｙが取外された状態の枠本体部６３Ｘの左右枠６３ａの挿入溝６３ｄに、枠本体部６３Ｘの上側から組込み、組外しできるように構成されている。これにより、枠本体部６３Ｘを表示装置配設部５２に配設したままの状態で、該表示装置配設部５２の上方に設けられた開口８１から、枠本体部６３Ｘへの上枠６３Ｙの着脱と、枠本体部６３Ｘへの表示パネル６１、照明装置６４の組込み、組外しとを行えるようになっている。尚、第二の実施の形態においても第一の実施の形態と同様に、導光パネル６２についても上枠６３Ｙが取外された状態の枠本体部６３Ｘに上側から組込み、組外しできるように構成されている。
【００４８】
また、表示装置配設部５２に配設された表示装置５１と開口８１との間には、第一無目アダプター７５と第一耐火パネル体４７Ａの上部間に位置する状態で、表示装置配設部５２の上側を塞ぐ上側耐火ブロック９２が配設されている。９３は該上側耐火ブロック９２を載置支持する上側耐火ブロック支持ブラケット９３であって、該上側耐火ブロック支持ブラケット９３は、第一無目アダプター７５および支持アングル７８に対しネジ９３ａ、９３ｂを介して着脱自在に取付けられている。さらに、この上側耐火ブロック支持ブラケット９３の上側に、前記開口８１を開閉自在に覆蓋する点検カバー８２がネジ８２ａを介して着脱自在に取付けられているが、これら点検カバー８２用のネジ８２ａおよび上側耐火ブロック支持ブラケット９３用のネジ９３ａ、９３ｂは共に上側から螺入されるように設定されていて、点検カバー８２および上側耐火ブロック支持ブラケット９３の着脱作業を、スパンドレル部４１Ｂの上階の居住空間から行うことができるようになっている。
尚、前記第一無目アダプター７５は、第一無目４３Ａの屋内側面部４３Ａａに固定される矩形中空状の下側第一無目アダプター７５ａと、該下側第一無目アダプター７５ａの上側に固定される矩形中空状の上側第一無目アダプター７５ｂとから構成されている。また、支持アングル７８は、第一耐火パネル体４７Ａの上側位置において、方立本体部４２Ａの左右側面部４２Ａａに固定された左右のアングル用ブラケット７９にネジ７８ａを介して取付け支持される状態で、左右に隣接する方立４２の方立本体部４２Ａ間に支架されている。さらに、図中、８６は点検カバー８２の四周外縁部と、該四周外縁部に対向する第一無目４３Ａの屋内側面部４３Ａａ、膳板８３の屋外側端面８３ａ、方立本体部４２Ａの左右側面部４２Ａａとのあいだに嵌着されるビードである。
【００４９】
一方、８７は天井側額縁であって、該天井側額縁８７は、前記表示装置配設部５２および耐火パネル体４７の下方に位置する状態で、第二無目４３Ｂ（スパンドレル部４１Ｂと該スパンドレル部４１Ｂの下階の窓部４１Ａとを区画する無目）から天井５ｂに至るように設けられている。そして、天井側額縁８７は、その屋外側端面８７ａが第二無目４３Ｂの屋内側面部４３Ｂａに当接する状態で、第二無目４３Ｂに固定された天井側額縁用アングル８８にネジ８７ｂを介して取付け支持されている。尚、図中、９４は天井側額縁８７と方立本体部４２Ａの左右側面部４２Ａａとの間を塞ぐシーリングである。
【００５０】
さらに、前記天井側額縁８７の上側には、第二無目４３Ｂと第一耐火パネル体４７Ａの下部間に位置する状態で、表示装置配設部５２の下側を塞ぐ下側耐火ブロック８９が配設されている。９０は下側耐火ブロック８９および前記第一耐火パネル体４７Ａの下端部を載置支持する左右の耐火体支持ブラケットであって、該耐火体支持ブラケット９０は、方立本体部４２Ａの左右側面部４２Ａａにネジ９０ａを介して固定されている。また、９１は下側耐火ブロックカバーであって、該下側耐火ブロックカバー９１は、下側耐火ブロック８９の上側を覆う上面９１ａと、第二無目４３Ｂにネジ９１ｂを介して固定される取付片９１ｃとを備えて形成されている。
尚、前記第二の実施の形態の上側、下側耐火ブロック９２、８９も、第一の実施の形態の上側、下側耐火ブロック１８、１９と同様に、火災時における延焼を防止するべく耐火材から構成されるものである。
【００５１】
そして、この様に構成された第二の実施の形態のものにおいて、表示装置配設部５２に配設された表示装置５１をメンテナンス等のために取り出す場合には、まず、表示装置配設部５２が設けられたスパンドレル部４１Ｂの上階の居住空間側から、点検カバー８２の四周外縁部に緩着されたビード８６を取外し、次いで、点検カバー８２を取外して、表示装置配設部５２の上方の開口８１を開く。さらに、該開口８１から上側耐火ブロック９２を取り出してから、上側耐火ブロック支持ブラケット９３を取外す。これにより、表示装置配設部５２の上方は開放された状態となるが、この状態で、表示装置５１のＬＥＤ６４に接続された受電側コネクタ６６を給電側コネクタ５６から外す。しかる後、表示装置５１を上側に引き抜いて、表示装置配設部５２から居住空間に取り出す。このときの表示装置５１の上動は、表示装置５１の左右両側が左右のガイドレール６８にガイドされることで安定した状態で行うことができる。
【００５２】
一方、表示装置５１を表示装置配設部５２に配設する場合には、表示装置配設部５２が設けられたスパンドレル部４１Ｂの上階の居住空間から、開口８１を通して表示装置配設部５２に表示装置５１を収納する。このとき、表示装置５１の左右両縁部を左右のガイドレール６８に嵌合させることにより、表示装置５１の下動がガイドレール６８にガイドされた状態でスムーズに行われる。そして、表示装置５１の下端部が表示装置支持ブラケット８５の支持片８５ａに当接するまで下動させることにより、表示装置５１が表示装置配設部５２に収納される。次いで、表示装置５１の受電側コネクタ６６を給電側コネクタ５６に接続する。さらに、上側耐火ブロック支持ブラケット９３を取付け、上側耐火ブロック支持ブラケット９３に上側耐火ブロック９２を載置する。しかる後、点検カバー８２を取付けて開口８１を塞ぎ、さらに該点検カバー８２の四周外縁部にビード８６を嵌着することによって、表示装置５１の表示装置配設部５２への配設作業が完了するようになっている。
【００５３】
さらにこのものでは、表示装置５１を構成する枠本体部６３Ｘを表示装置配設部５２に配設したままの状態で、表示パネル６１、照明装置６４を、それぞれ独自に表示装置配設部５２から出し入れすることができる。この場合には、まず、前述した表示装置５１を取り出す場合と同様の手順で、ビード８６、点検カバー８２、上側耐火ブロック９２、上側耐火ブロック支持ブラケット９３を取外して、表示装置配設部５２の上方を開放された状態にする。この状態で、表示装置配設部５２に配設されたままの表示装置５１から上枠６３Ｙを取外し、しかる後、該上枠６３Ｙが取り外された状態の枠本体部６３Ｘから表示パネル６１あるいは照明装置６４を取り出すことにより、表示パネル６１のみ、あるいは照明装置６４のみを表示装置配設部５２から取出すことができる。そして、新しくセットする表示パネル６１、照明装置６４を、前記上枠６３Ｙが取り外された状態の枠本体部６３Ｘに上側から組込んだ後、上枠６３Ｙを取付け、さらに前述した表示装置５１を収納する場合と同様の手順で、上側耐火ブロック支持ブラケット９３、上側耐火ブロック９２、点検カバー８２、ビード８６を取付けることによって、表示パネル６１や照明装置６４のみの交換やメンテナンスを行うことができるようになっている。
【００５４】
而して、叙述の如く構成された第二の実施の形態のものにおいても、第一の実施の形態のものと同様に、スパンドレル部４１Ｂの外壁パネル体４４と躯体構造物５との間の空間部が表示装置配設部５２になっており、該表示装置配設部５２には、カーテンウォール４１の屋外側に向けて表示を行う表示装置５１が配設されることになるが、該表示装置５１は、文字、図柄等の表示がなされた表示パネル６１と、照明装置６４と、これら表示パネル６１および照明装置６４が組込まれる枠本体部６３Ｘとを備えて構成されるとともに、表示パネル６１および照明装置６４は、枠本体部６３Ｘを表示装置配設部５２に配設したままの状態で、居住空間側から枠本体部６３Ｘに組込み、組外しできることになる。この結果、第二の実施の形態のものも、前述した第一の実施の形態と同様の作用効果を奏することになって、表示パネル６１や照明装置６４の交換作業やメンテナンス作業を効率良く行えることになるが、第二の実施の形態のものは、表示パネル６１、照明装置６４を出し入れするための開口８１が表示装置配設部５２の上方に設けられている。これにより、表示装置配設部５２に配された表示装置５１の表示パネル６１、照明装置６４を、表示装置配設部５２が設けられたスパンドレル部４１Ｂの上階の居住空間側から出し入れすることができる。
【００５５】
さらに第二の実施の形態のものにおいても、第一の実施の形態と同様に、枠本体部６３Ｘとともに表示装置５１の枠体６３を構成する枠材（第二の実施の形態では上枠）６３Ｙが設けられており、該枠材６３Ｙは、枠本体部６３Ｘを表示装置配設部５２に配設したままの状態で開口８１から枠本体部６３Ｘに着脱自在であるとともに、該枠材６３Ｙを取外した状態の枠本体部６３Ｘに、開口８１から表示パネル６１や照明装置６４を組込み、組外し自在に構成されている。而して、前述した第一の実施の形態と同様に、表示装置５１が表示装置配設部５２に配設されている状態では、枠本体部６３Ｘと枠材６３Ｙとから構成される枠体６３によって表示パネル６１や照明装置６４を確実に支持できる一方、表示パネル６１や照明装置６４を表示装置配設部５２の枠本体部６３Ｘに組込み、組外しする場合には、枠材６３Ｙが表示パネル６１や照明装置６４の組込み、組外しの妨げとなってしまう不具合を回避できる。さらにこのものにおいても、表示パネル６１や照明装置６４だけでなく表示装置５１全体も前記開口８１から居住空間側に出し入れ自在に構成されているから、表示装置５１全体の交換やメンテナンスを行う場合の作業性についても優れる。
【００５６】
ところで、前記第二の実施の形態のものでは、表示装置配設部５２の上方に設けられた開口８１を開閉自在に覆蓋する蓋体として、第一無目４３Ａと膳板８３との間に点検カバー８２が設けられているが、図１７に示す第三の実施の形態の如く、第一無目４３Ａから腰壁５ｄの上部に至るように膳板１００を配設するとともに、該膳板１００を着脱自在に取付けることによって、膳板１００を開閉自在な蓋体として用いることもできる。この場合に、第三の実施の形態では、膳板１００の屋外側端部を、第一無目４３Ａに固定される第一無目アダプター７５にネジ１００ａを介して着脱自在に取付け、また、膳板１００の屋内側端部を、腰壁５ｄの上部にネジ１００ｂを介して着脱自在に取付けてある。そして、この様に膳板１００を開閉自在な蓋体として用いることにより、部材の兼用化が図れて、部材点数を削減できることになる。尚、第三の実施の形態のものは、膳板１００の構成以外は第二の実施の形態と同様のものであるとともに、図１７において、第二の実施の形態と同様のものは同一の符号を附してある。
【００５７】
次いで、本発明の第四の実施の形態について、図１８〜図２５に基づいて説明するが、該第四の実施の形態のものも、前述した第一、第二の実施の形態のものと同様に、スパンドレル部４１Ｂの外壁パネル体４４と躯体構造物５との間の空間部（第四の実施の形態では、第一、第二の実施の形態と同様に、スパンドレル部４１Ｂの外壁パネル体４４と躯体構造物５との間に耐火パネル体４７が配されており、該耐火パネル体４７と外壁パネル体４４との間の空間部）が表示装置配設部５２になっており、該表示装置配設部５２には、カーテンウォール４１の屋外側に向けて表示を行う表示装置１０１が配設されている。そして、第四の実施の形態のものにおいても、表示装置１０１は、後述するように、表示パネル６１と、照明装置６４と、これら表示パネル６１および照明装置６４が組込まれる枠本体部１０２Ｘとを備えて構成されるとともに、表示パネル６１および照明装置６４は、枠本体部１０２Ｘを表示装置配設部５２に配設したままの状態で、居住空間側から枠本体部１０２Ｘに組込み、組外しできる構成となっているが、第四の実施の形態のものは、表示パネル６１、照明装置６４を居住空間側から枠本体部１０２Ｘに組込み、組外しするための開口５９が表示装置配設部５２の下方に設けられている。
尚、第四の実施の形態のものにおいて、カーテンウォール４１を構成する方立４２、無目４３（第一無目４３Ａ、第二無目４３Ｂ）、外壁パネル体４４、方立アタッチメント４６、および耐火パネル体４７は、前述した第二の実施の形態と同一或いは略同一のものであるため、同一の符号を附すとともに、説明を簡略あるいは省略する。さらに、上記以外のものでも第二の実施の形態と同一或いは略同一のものは、同一の符号を附すとともに、説明を簡略あるいは省略する。また、図９は第二の実施の形態のものを共用する。
【００５８】
前記表示装置配設部５２の下方に設けられる開口５９は、第二無目（スパンドレル部４１Ｂと該スパンドレル部４１Ｂの下階の窓部４１Ａとを区画する無目）４３Ｂと、該第二無目４３Ｂの屋内側に設けられる天井側額縁５８の屋外側端面５８ｂとの間に設けられている。つまり、天井側額縁５８は、第二無目４３Ｂの屋内側から天井５ｂに至るように設けられるが、第四の実施の形態の天井側額縁５８は、その屋外側端面５８ｂの屋内外方向の位置が方立本体部２Ａの屋内側面部４２Ａｃと略同位置に設定されていて、第二無目４３Ｂとは間隔を存する状態になっている。そして、該第二無目４３Ｂと天井側額縁５８との間の間隙は、表示装置配設部５２の下方に位置していて、該表示装置配設部５２に配設された表示装置１０１の表示パネル６１、照明装置６４をスパンドレル部４１Ｂの下階の居住空間側から組込み、組外しするための開口５９になっているとともに、該開口５９は、後述する点検カバー（本発明の蓋体に相当する）６０によって開閉自在に覆蓋されている。
尚、図中、５７は耐火パネル体４７の下側位置において左右方向に延びる額縁用アングルであって、該額縁用アングル５７は、方立本体部４２Ａの屋内側面部４２Ａｃにネジ５７ａを介して固定されている。そして、該額縁用アングル５７に、前記天井側額縁５８の屋外側端部がネジ５８ａを介して取付けられている。
【００５９】
一方、第四の実施の形態の表示装置１０１は、前記第一、第二の実施の形態の表示装置１３、５１と同様に、文字、図柄等の表示がなされた表示パネル６１と、導光パネル６２と、これら両パネル６１、６２の四周を支持する枠体１０２と、光源（本実施の形態ではＬＥＤ）６４等を備えて構成されているが、第四の実施の形態の枠体１０２は、左右の縦枠１０２ａと上枠１０２ｂとから形成される下側が開口した冂形状の枠本体部１０２Ｘと、該枠本体部１０２Ｘの開口側、つまり下側に着脱自在に組付けられる下枠（本発明の枠材に相当する）１０２Ｙとから構成されているとともに、第四の実施の形態の左右の縦枠１０２ａには、上枠１０２ｂおよび下枠１０２Ｙの左右外側端よりも左右外方に突出する取付片１０２ｄが一体形成されている。この場合に、左右の縦枠１０２ａは左右対称形状、また、上枠１０２ｂと下枠１０２Ｙとは上下対称形状のものであるとともに、これら左右の縦枠１０２ａ、上枠１０２ｂ、下枠１０２Ｙに形成されたパネル嵌合部１０２ｇ、１０２ｈに、表示パネル６１、導光パネル６２の外周縁部がそれぞれ嵌合支持されるようになっている。また、ＬＥＤ（光源）６４は、枠本体部１０２Ｘを構成する左右の縦枠１０２ａに形成の挿入溝１０２ｅに挿入組込みされるＬＥＤ支持バー６５に、上下方向複数配置されている。さらに、１０３は表示パネル６１、導光パネル６２の下端部を支持するスペーサであって、該スペーサ１０３は、図示しないラッチ手段等を介して左右の縦枠１０２ａに着脱自在に取付けられている。さらに、前記ＬＥＤ６４に接続されるリード線は、下方に延びて受電側コネクタ６６に接続されており、該受電側コネクタ６６と給電側コネクタ５６とを接続することによってＬＥＤ６４への給電がなされるが、これら受電側コネクタ６６、給電側コネクタ５６の断続は、前記開口５９から行えるようになっている。
尚、第四の実施の形態においても、前記ＬＥＤ（光源）６４および該ＬＥＤ６４が配置されるＬＥＤ支持バー６５は、本発明の照明器具を構成するとともに、以下の説明において、ＬＥＤ支持バー６５に配置された状態のＬＥＤ６４を、照明装置６４とも称する。また、第四の実施の形態では、第一耐火パネル体４７Ａの下部に配線用貫通孔４７Ａａが形成されており、該配線用貫通孔４７Ａａを通して、電源盤５３から延びるハーネス５５が表示装置配設部５２に引き出されるようになっているとともに、該ハーネス５５の先端部には給電側コネクタ５６が接続されているが、電源盤５３へのアクセスは、天井５ｂに開閉自在に設けられた天井側点検口５ｅから行えるようになっている。
【００６０】
そして、第四の実施の形態の表示装置１０１は、下枠１０２Ｙを、枠本体部１０２ＸＸや、該枠本体部１０２Ｘに組み込まれる表示パネル６１、導光パネル６２、照明装置６４、およびスペーサ１０３はそのままの状態で、表示装置１０１の下方から螺入されるネジ１０２ｃを介して枠本体部１０２Ｘに下側から取付け、取外しできるようになっている。また、表示パネル６１用のスペーサ１０３は、下枠１０２Ｙが取外された状態の枠本体部１０２Ｘの左右枠１０２ａに、枠本体部１０２Ｘの下側から着脱できるように構成されている。さらに、下枠１０２Ｙおよびスペーサ１０３が取外された状態の枠本体部１０２Ｘのパネル嵌合溝１０２ｇに、表示パネル６１を、冂形状の枠本体部１０２Ｘの開口側、つまり下側から挿入、抜き取りすることで組込み、組外しできるように構成されている。さらにまた、照明装置６４も、下枠１０２Ｙが取外された状態の枠本体部１０２Ｘの左右枠１０２ａの挿入溝１０２ｅに、枠本体部１０２Ｘの下側から組込み、組外しできるように構成されている。これにより、枠本体部１０２Ｘを表示装置配設部５２に配設したままの状態で、該表示装置配設部５２の下方に設けられた開口５９から、枠本体部１０２Ｘへの下枠１０２Ｙの着脱と、枠本体部１０２Ｘへの表示パネル６１、照明装置６４の組込み、組外しとを行えるようになっている。尚、第四の実施の形態においても第一、第二の実施の形態と同様に、導光パネル６２についても下枠１０２Ｙが取外された状態の枠本体部１０２Ｘに下側から組込み、組外しできるように構成されている。
【００６１】
一方、前記表示装置配設部５２には、表示装置１０１の下端部を支持するための左右の表示装置支持ブラケット６７と、表示装置１０１を方立本体部４２Ａの左右側面部４２Ａａに取付けるための表示装置取付ブラケット９６と、表示装置１０１を方立本体部４２Ａに取付けるときの位置決めをするための表示装置位置決めブラケット９５とが設けられている。
【００６２】
前記表示装置位置決めブラケット９５は、水平断面Ｌ字形状のものであって、方立本体部４２Ａの左右側面部４２Ａａにネジ９５ａを介して取付けられる取付面部９５ｂと、該取付面部９５ｂの屋内側端部から折曲形成され、表示装置１０１の左右縁部（左右の縦枠１０２ａ）の屋内側に当接あるいは近接する支持面部９５ｃとから形成されている。また、表示装置取付ブラケット９６は、表示装置位置決めブラケット９５と同様に水平断面Ｌ字形状のものであって、表示装置１０１の屋外側において方立本体部４２Ａの左右側面部４２Ａａにネジ９６ａを介して着脱自在に取付けられる第一取付面部９６ｂと、該第一取付面部９６ｂの屋内側端部から折曲形成され、表示装置１０１の左右縦枠１０２に形成の取付片１０２ｄにネジ９６ｃを介して着脱自在に取付けられる第二取付面部９６ｄとから形成されている。そして表示装置１０１は、前記表示装置位置決めブラケット９５によって屋内方向への移動規制がなされた状態で、表示装置１０１の取付片１０２ｄに取付けられた表示装置取付ブラケット９６を介して方立本体部４２Ａの左右側面部４２Ａａに取付けられるが、該表示装置取付ブラケット９６は、後述するように外壁パネル体４４を取外した状態で、屋外側から着脱できるようになっている。
【００６３】
また、左右の表示装置支持ブラケット６７は、図２１に示す如く、支持片６７ａと該支持片６７ａから垂下される取付片６７ｂとからなる逆Ｌ字形状のものであって、表示装置位置決めブラケット９５の下端部において、取付片６７ｂが表示装置位置決めブラケット９５の取付面部９５ｂを間に介装する状態で、方立本体部４２Ａの左右側面部４２Ａａにネジ６７ｃを介して着脱自在に取付けられている。この場合に、表示装置支持ブラケット６７は、表示装置配設部５２の下方の開口５９の少し上側に位置するように設けられていて、該開口５９から表示装置支持ブラケット６７の着脱作業を行えるようになっている。そして表示装置１０１は、下端部（下枠１０２Ｙ）の左右両側が左右の表示装置支持ブラケット５７の支持片６７ａに載置支持されるとともに、前述したように左右縦枠１０２ａに形成の取付片１０２ｄが表示装置取付ブラケット９６を介して方立本体部４２Ａの左右側面部４２Ａａに取付けられることによって、安定支持された状態で表示装置配設部５２に配設されるようになっている。
【００６４】
さらに、前記表示装置支持ブラケット６７と開口５９との間には、下側耐火ブロック７０が着脱自在に配設されている。該下側耐火ブロック７０は、前記第一、第二の実施の形態の形態の下側耐火ブロック１９、８９と同様に耐火材から構成されるものであって、表示装置配設部５２の下側を塞ぐように設けられている。７１は前記下側耐火ブロック７０を載置支持する下側耐火ブロック支持ブラケットであって、該下側耐火ブロック支持ブラケット７１は、第二無目４３Ｂの屋内側面部４３Ｂａに固定された矩形中空状の第二無目アダプター７２と、方立本体部４２Ａの左右側面部４２Ａａにネジ４８ａを介して固定されていて第一耐火パネル体４７Ａの下端部を支持する耐火パネル体支持ブラケット４８とに、ネジ７１ａ、７１ｂを介して着脱自在に取付けられている。さらに、この下側耐火ブロック支持ブラケット７１の下側に、前記開口５９を開閉自在に覆蓋する点検カバー６０がネジ６０ａを介して着脱自在に取付けられているが、これら点検カバー６０用のネジ６０ａおよび下側耐火ブロック支持ブラケット７１用のネジ７１ａ、７１ｂは共に下側から螺入されるように設定されていて、点検カバー６０および下側耐火ブロック支持ブラケット７１の着脱作業を、スパンドレル部４１Ｂの下階の居住空間から行うことができるようになっている。尚、図中、７３はビードであって、該ビード７３は、点検カバー６０の四周外縁部と、該四周外縁部に対向する第二無目４３Ｂの屋内側面部４３Ｂａ、天井側額縁５８の屋外側端面５８ｂ、方立本体部４２Ａの左右側面部４２Ａａとのあいだに嵌着される。
【００６５】
一方、７４は前記第一無目（スパンドレル部４１Ｂと該スパンドレル部４１Ｂの上階の窓部４１Ａとを区画する無目）４３Ｂの屋内側に第一無目アダプター７５を介して取付けられる膳板であって、該膳板７４は、前記表示装置配設部５２および耐火パネル体４７の上方に位置する状態で、第一無目４３Ｂから腰壁５ｄの上部に至るように設けられている。
尚、前記第一無目アダプター７５は、第二の実施の形態の第一無目アダプター７５と同様のものである。また、図中、８０は膳板７４と方立本体部４２Ａの左右側面部４２Ａａとの間を塞ぐシーリングである。
【００６６】
さらに、前記膳板７４の下側には、第一無目アダプター７５と第一耐火パネル体４７Ａの上部間に位置する状態で、表示装置配設部５２の上側を塞ぐ上側耐火ブロック７６が配設されている。該上側耐火ブロック７６は、第一、第二の実施の形態の上側耐火ブロック１８、９２と同様に耐火材から構成されるものであって、上側耐火ブロック支持ブラケット７７に載置支持されているが、該上側耐火ブロック支持ブラケット７７は、屋外側端部がネジ７７ａを介して第一無目アダプター７５に取付けられ、また、屋内側端部がネジ７７ｂを介して支持アングル７８に取付けられている。支持アングル７８、および該支持アングル７８が取付け支持されるアングル用ブラケット７９は、第二の実施の形態の支持アングル７８、アングル用ブラケット７９と同様のものである。
【００６７】
そして、この様に構成された第四の実施の形態のものにおいても、表示装置１０１を構成する枠本体部１０２Ｘを表示装置配設部５２に配設したままの状態で、表示パネル６１、照明装置６４を、それぞれ独自に表示装置配設部５２から出し入れすることができる。この場合には、まず、表示装置配設部５２が設けられたスパンドレル部４１Ｂの下階の居住空間側から、点検カバー６０の四周外縁部に嵌着されたビード７３を取外す。次いで、点検カバー６０を取外して、表示装置配設部５２の下方の開口５９を開く。さらに、下側耐火ブロック支持ブラケット７１を取外し、同時に該下側耐火ブロック支持ブラケット７１に載置された下側耐火ブロック７０も取り出す。次いで、表示装置支持ブラケット６７を取外すが、このとき、前述したように、表示装置１０１は表示装置取付ブラケット９６を介して方立本体部４２Ａの左右側面部４２Ａａに取付けられるため、表示装置支持ブラケット６７を取外しても落下する惧れはなく、表示装置配設部５２に配設されたままに保持される。そして、該表示装置配設部５２に配設されたままの表示装置１０１から下枠１０２Ｙを取外し、しかる後、該下枠１０２Ｙが取り外された状態の枠本体部１０２Ｘから表示パネル６１あるいは照明装置６４を取り出すことにより、表示パネル６１のみ、あるいは照明装置６４のみを、表示装置配設部５２の下方の開口５９を通して表示装置配設部５２から居住空間側に取出すことができる。尚、表示パネル６１を取出す場合には、該表示パネル６１用のスペーサ１０３を左右の縦枠１０２ａから取外してから、表示パネル６１の取出しを行う。
【００６８】
また、前記表示パネル６１あるいは照明装置６４が取出された状態の表示装置１０１に表示パネル６１、照明装置６４を組み込む場合には、該表示パネル６１、照明装置６４を、下枠１０２Ｙが取り外された状態の枠本体部１０２Ｘに開口５９を通して下側から組込み、しかる後、下枠１０２Ｙを取付ける。尚、表示パネル６１を組込む場合には、該表示パネル６１を組込んだ後にスペーサ１０３を左右の縦枠１０２ａに取付け、しかる後に下枠１０２Ｙを取付ける。さらに、表示装置支持ブラケット６７を取付けるが、この場合に表示装置支持ブラケット６７の支持片６７ａを表示装置１０１の下端部に当接させて、表示装置支持ブラケット６７により表示装置１０１を支持する。次いで、下側耐火ブロック７０を表示装置配設部５２に入れてから、下側耐火ブロック支持ブラケット７１を取付ける。しかる後、点検カバー６０を取付けて開口５９を塞ぎ、さらに該点検カバー６０の四周外縁部にビード７３を嵌着することによって、表示パネル６１あるいは照明装置６４の組み込み作業が完了することになる。
【００６９】
一方、第四の実施の形態の表示装置１０１は、前述したように、左右縦枠１０２ａに形成の取付片１０２ｄが表示装置取付ブラケット９６を介して方立本体部４２Ａの左右側面部４２Ａａに取付けられているため、表示装置配設部５２の下方に設けられた開口５９から表示装置１０１を出し入れすることはできない構成になっている。そこで、第四の実施の形態では、表示装置１０１を交換やメンテナンス等のために表示装置配設部５２から出し入れする場合には、スパンドレル部４１Ｂの外壁パネル体４４を取外して、カーテンウォール４１の屋外側から表示装置１０１を出し入れする構成になっている。
【００７０】
ここで、外壁パネル体４４は、前記第二の実施の形態において説明したように、左右縦辺部が方立４２に形成されるパネル嵌合溝４２Ｂｂに、また、上下辺部が無目４３に形成されるパネル嵌合溝４３ａにそれぞれビート１０およびシーリング材１１を介して嵌合支持されているが、外壁パネル体４４の左右縦辺部および上下辺部の屋外側をシールしているシーリング材１１を屋外側から取外す（切り取る）ことにより、外壁パネル体４４を屋外側から取外すことができるようになっている。一方、取外した外壁パネル体４４を取付ける場合には、左右縦辺部および上下辺部を方立４２および無目４３のパネル嵌合溝４２Ｂｂ、４３ａに嵌合させた状態で、屋外側からシーリング材１１をパネル嵌合溝４２Ｂｂ、４３ａに充填することにより元通りに取付けることができる。
【００７１】
そして、表示装置配設部５２に配設された表示装置１０１を交換やメンテナンス等のために取り出す場合には、まず、前述したようにして、外壁パネル体４４を屋外側から取外して、表示装置配設部５２の屋外側を開放された状態にする。次いで、表示装置取付ブラケット９６を、方立本体部２Ａの左右側面部４２Ａａおよび表示装置１０１の取付片１０２ｄから取外して屋外側に取出す。さらに、表示装置１０１のＬＥＤ６４に接続された受電側コネクタ６６を給電側コネクタ５６から外し、しかる後、表示装置１０１を表示装置配設部５２から屋外側に取出す。
【００７２】
一方、表示装置１０１を表示装置配設部５２に配設する場合には、外壁パネル体４４が取外された状態のスパンドレル部４１Ｂの屋外側から、表示装置１０１を表示装置配設部５２に収納する。このとき、表示装置１０１の受電側コネクタ６６を給電側コネクタ５６に接続してから、表示装置１０１の下端部を表示装置支持ブラケット６７の支持片３７ａに装置支持せしめるとともに、表示装置１０１の左右両縁部を表示装置位置決めブラケット９５の支持面部９５ｃに当接させて位置決めする。次いで、表示装置取付ブラケット９６の第一、第二取付面部９６ｂ、９６ｄを、それぞれネジ９６ａ、９６ｃを介して方立本体部４２Ａの左右面部４２Ａａ、表示装置１０１の取付片１０２ｄに取付ける。しかる後、外壁パネル体４４の左右縦辺部および上下辺部を方立４２および無目４３のパネル嵌合溝４２Ｂｂ、４３ａに嵌合させた状態で、屋外側からパネル嵌合溝４２Ｂｂ、４３ａにシーリング材１１を充填して外壁パネル体４４を取付る。
【００７３】
而して、叙述の如く構成された第四の実施の形態のものにおいても、前記第一、第二の実施の形態のものと同様に、スパンドレル部４１Ｂの外壁パネル体４４と躯体構造物５との間の空間部が表示装置配設部５２になっており、該表示装置配設部５２には、カーテンウォール４１の屋外側に向けて表示を行う表示装置１０１が配設されることになるが、該表示装置１０１は、文字、図柄等の表示がなされた表示パネル６１と、照明装置６４と、これら表示パネル６１および照明装置６４が組込まれる枠本体部１０２Ｘとを備えて構成されるとともに、表示パネル６１および照明装置６４は、枠本体部１０２Ｘを表示装置配設部５２に配設したままの状態で、居住空間側から枠本体部１０２Ｘに組込み、組外しできることになる。この結果、第四の実施の形態のものも、前述した第一、第二の実施の形態と同様の作用効果を奏することになって、表示パネル６１や照明装置６４の交換作業やメンテナンス作業を効率良く行えることになるが、第四の実施の形態のものは、表示パネル６１、照明装置６４を出し入れするための開口５９が表示装置配設部５２の下方に設けられている。これにより、表示装置配設部５２に配された表示装置１０１の表示パネル６１、照明装置６４を、表示装置配設部５２が設けられたスパンドレル部４１Ｂの下階の居住空間側から出し入れすることができる。
【００７４】
さらに第四の実施の形態のものにおいても、第一、第二の実施の形態と同様に、枠本体部１０２Ｘとともに表示装置１０１の枠体１０２を構成する枠材（第四の実施の形態では下枠）１０２Ｙが設けられており、該枠材１０２Ｙは、枠本体部１０２Ｘを表示装置配設部５２に配設したままの状態で開口５９から枠本体部１０２Ｘに着脱自在であるとともに、該枠材１０２Ｙを取外した状態の枠本体部１０２Ｘに、開口５９から表示パネル６１や照明装置６４を組込み、組外し自在に構成されている。而して、前述した第一、第二の実施の形態と同様に、表示装置１０１が表示装置配設部５２に配設されている状態では、枠本体部１０２Ｘと枠材１０２Ｙとから構成される枠体１０２によって表示パネル６１や照明装置６４を確実に支持できる一方、表示パネル６１や照明装置６４を表示装置配設部５２の枠本体部１０２Ｘに組込み、組外しする場合には、枠材１０２Ｙが表示パネル６１や照明装置６４の組込み、組外しの妨げとなってしまう不具合を回避できる。
【００７５】
また、第四の実施の形態のものは、表示装置配設部５２の屋外側の外壁パネル体４４が屋外側から取外し可能であり、該外壁パネル体４４を取外した状態で、表示装置１０１を屋外側から表示装置配設部５２に出し入れすることができる。これにより、表示パネル６１や照明装置６４を出し入れするための開口５９を用いて表示装置１０１の出し入れを行うことができない構成のものであっても、表示装置１０１を屋外側から表示装置配設部５２に出し入れすることで、表示装置１０１全体の交換やメンテナンス等も行えることになる。
【００７６】
尚、本発明は上記第一〜第四の実施の形態に限定されないことは勿論であって、上記各実施の形態では、建物の外壁として、方立と無目とを枠材として外壁パネル体が組み込まれたカーテンウォールを例示したが、このようなカーテンウォールに限定されることなく、例えば、サッシ枠を枠材として外壁パネル体が組み込まれた外壁等であっても、窓部とスパンドレル部とが設けられている外壁であれば、本発明を実施できる。
さらに、上記第一〜第四の実施の形態では、躯体構造物として腰壁が設けられているが、腰壁が設けられていない場合であっても、本発明を実施できることは勿論である。
さらに、上記第一〜第四の実施の形態では、窓部もスパンドレル部も外壁パネル体として透明なガラス材が用いられているが、このように全ての外壁パネル体が透明な材質のものでなくても、スパンドレル部の少なくとも一部、つまり、表示装置が配設される部分の外壁パネル体が透明または透光性を有していれば、本発明を実施できる。
さらに、上記第一〜第四の実施の形態では、スパンドレル部の外壁パネル体と躯体構造物との間に耐火パネル体が配設されているが、延焼の惧れがなく耐火パネル体が配されていないスパンドレル部（例えば、最上階に設けられるスパンドレル部）であっても、本発明を実施できる。
さらに、上記第一〜第四の実施の形態では、開口を開閉自在に覆蓋する蓋体をネジにより着脱できる構成にしたが、着脱するための手段としてはネジに限定されることなく例えばラッチ手段等を用いることもでき、また、蓋体を開き戸式にして開口を開閉する構成にしてもよい。
さらに、上記第一の実施の形態では、表示装置配設部の左右少なくとも一方の側方に開口を設ける場合において、開口を表示装置配設部の右側方に設けた場合を例にとって説明したが、開口を表示装置配設部の左側方に設けた場合、或いは開口を表示装置配設部の左右両側方に設けた場合であっても、本発明を実施できることは勿論である。
さらに、上記第一〜第四の実施の形態では、表示パネルと導光パネルと照明装置と枠体とを備えた表示装置を例示したが、これに限定されることなく、本発明は、表示パネルと枠本体部とを備えた表示装置、あるいは、表示パネルと照明装置と枠本体部とを備えた表示装置であれば、様々な形態のものを採用できる。
さらに、上記第一〜第四の実施の形態の表示装置は、枠本体部と枠材とにより表示装置の枠体を構成するとともに、枠材を開口から枠本体部に着脱自在な構成としたが、このような枠材が設けられていなくても、本発明を実施できる。この場合には、例えば、枠本体部だけで表示パネルを支持できる構成（例えば、枠本体部自体に表示パネルの枠本体部からの抜止めを行う部材を備えたもの）にしたり、あるいは、枠材以外の部材（例えば、枠本体部に着脱自在に取付けられるカバー体、あるいは枠本体部に組み込まれた表示パネルに係脱自在に係止する抜止め部材等）で枠本体部からの表示パネルの抜け止めを行う構成にすることが望ましい。
さらに、上記第一〜第四の実施の形態では、表示パネルおよび照明装置の両方が、表示装置配設部に配設された枠本体部に居住空間側から組込み、組外し自在な構成となっているが、表示パネルのみ、あるいは照明装置のみを組込み、組外し自在な構成にしたものであってもよい。
さらに、上記第四の実施の形態のものは、表示装置配設部に配設された枠本体部に表示パネルや照明装置を居住空間側から組込み、組外しするための開口を下方に設けるとともに、該開口から表示装置を居住空間側に出し入れすることはできない構成となっているが、開口が表示装置配設部の上方、あるいは左右側方のうち少なくても一方の側方に設けられていても、該開口から表示装置を居住空間側に出し入れできない構成の場合には、第四の実施の形態と同様に表示装置を屋外側から表示装置配設部に出し入れできる構成にすることにより、表示装置全体の交換やメンテナンスを行うことができる。
さらに、上記第一〜第三の実施の形態のものでは、表示パネルや照明装置を居住空間側から枠本体部に組込み、組外しするための開口を用いて、表示装置も居住空間側から表示装置配設部に出し入れできる構成となっており、また、第四の実施の形態のものでは、表示装置を屋外側から表示装置配設部に出し入れできる構成となっていて、表示装置全体の交換やメンテナンスの作業性向上も図られているが、これらのように表示装置を開口あるいは屋外側から表示装置配設部に出し入れできる構成のものでなくても、本発明を実施できることは勿論である。
【産業上の利用可能性】
【００７７】
本発明は、カーテンウォール等の建物外壁部に表示装置を設ける場合に利用することができる。
【符号の説明】
【００７８】
１、４１  カーテンウォール
１Ａ、４１Ａ  窓部
１ＢＸ、４１Ｂ  スパンドレル部
４、４４  外壁パネル体
５  躯体構造物
１３、５１、１０１  表示装置
１４、５２表示装置配設部
２６、５９、８１  開口
２７、６０、８２  点検カバー
３５、６１  表示パネル
３８、６４  照明装置
３７、６３、１０２  枠体
３７Ｘ、６３Ｘ、１０２Ｘ  枠体本部
３７Ｙ、６３Ｙ、１０２Ｙ  枠材（右縦枠、上枠、下枠）
【図１】
2018188886.tif 000003
【図２】
2018188886.tif 000004
【図３】
2018188886.tif 000005
【図４】
2018188886.tif 000006
【図５】
2018188886.tif 000007
【図６】
2018188886.tif 000008
【図７】
2018188886.tif 000009
【図８】
2018188886.tif 000010
【図９】
2018188886.tif 000011
【図１０】
2018188886.tif 000012
【図１１】
2018188886.tif 000013
【図１２】
2018188886.tif 000014
【図１３】
2018188886.tif 000015
【図１４】
2018188886.tif 000016
【図１５】
2018188886.tif 000017
【図１６】
2018188886.tif 000018
【図１７】
2018188886.tif 000019
【図１８】
2018188886.tif 000020
【図１９】
2018188886.tif 000021
【図２０】
2018188886.tif 000022
【図２１】
2018188886.tif 000023
【図２２】
2018188886.tif 000024
【図２３】
2018188886.tif 000025
【図２４】
2018188886.tif 000026
【図２５】
2018188886.tif 000027